(57)【要約】【課題】特定の縫製サイズを有する被縫製物の縫製作業のみに制約されず、様々な大きさ及び形状を有する被縫製物の縫製作業に使用することができるミシン台の提供を目的とする。【解決手段】中央天板４を、ミシン台１の左右方向に対してミシンＡが直交する角度に水平回転して、中央天板４の左右長辺部と、中央天板４に対して同一平面となる水平角度に回動された左右天板５，６の基端側辺部とを連結固定する。或いは、中央天板４を、ミシン台１の左右方向に対してミシンＡが平行する角度に水平回転して、中央天板４の一側短辺部と、中央天板４に対して同一平面となる水平角度に回動された左側天板５の基端側辺部とを連結固定する。【選択図】図１
2009160007.tif 000002
【特許請求の範囲】
【請求項１】
被縫製物の所定部分をミシンにより所望する縫い方で縫製する作業に用いられるミシン台であって、
前記ミシン台を、支持枠上部に固定された支持台の上面に対して水平回転自在に設けられた中央天板と、該中央天板の左右に配置され前記支持台の左右端部に対して上下回動自在に連結された左側天板と右側天板とで構成し、
前記中央天板を、前記ミシン台の左右方向に対して前記ミシンが直交する角度と、該ミシンが平行する角度とに水平回転自在に設け、
前記左側及び右側の各天板を、前記中央天板に対して同一平面となる水平角度と、前記支持枠の両側部に沿った垂直角度とに上下回動自在に設け、
前記ミシンが直交する角度に回転された中央天板と、該中央天板に対して同一平面となる水平角度に回動された左右天板との間に、該中央天板と左右天板との対向端部を連結する連結手段を設け、
前記ミシンが平行する角度に回転された中央天板と、該中央天板に対して同一平面となる水平角度に回動された左側天板との間に、該中央天板と左側天板との対向端部を連結する連結手段を設けたことを特徴とする
ミシン台。
【請求項２】
前記中央天板と前記ミシンとを、該中央天板の回転中心とミシンの針落ち位置とが同一垂直線上に位置するように設け、
前記中央天板を、該中央天板に載置されたミシンの針落ち位置を中心として水平回転自在に設けたことを特徴とする
請求項１に記載のミシン台。
【請求項３】
前記中央天板の上面に、前記ミシンの送り台の側面全周と合致する大きさ及び形状で、該送り台の出し入れが許容される開口部を形成し、
前記中央天板を、前記開口部に収容されたミシンの送り台に対して同一平面となる高さに設けたことを特徴とする
請求項１又は２に記載のミシン台。
【請求項４】
前記中央天板を、前記ミシンが載置される下側受板と、前記開口部が形成された上側天板とで構成し、
前記上側天板を、該上側天板の開口部に収容されたミシンの送り台に対して同一平面となる高さに上下調節自在に設けたことを特徴とする
請求項１〜３のいずれか一つに記載のミシン台。
【請求項５】
前記左側天板と右側天板を、前記中央天板の高さに応じて該中央天板に対して同一平面となる高さに上下調節自在に設けたことを特徴とする
請求項１〜４のいずれか一つに記載のミシン台。
【発明の詳細な説明】
【技術分野】
【０００１】
この発明は、例えば幅広、長尺、筒状、袋状、平板状、扁平状等の様々な大きさ及び形状を有する被縫製物を、家庭用又は工業用のミシンにより縫製する作業に用いられるミシン台に関する。
【背景技術】
【０００２】
例えばキルト等の被縫製物を縫い合わせる場合、被縫製物の縫製サイズが小さければ、被縫製物を作業面積が小さいミシン台に載置して、ミシンによる縫い合わせ作業を行うことができる。しかし、複数枚の被縫製物を縫い合わせると、被縫製物全体の縫製サイズが大きくなるので、被縫製物がミシン台から食み出してしまう。また、ミシンの針落ち位置に供給される被縫製物の縫い合わせ部分に張力が付与されるので、所望する縫い方に縫製することが非常に難しい。したがって、被縫製物の縫製サイズがある程度大きくなれば、被縫製物を作業面積が広いミシン台上に移載して、ミシンによる縫い合わせ作業を行わなければならず、被縫製物を載せかえる作業に手間及び時間が掛かる。
【０００３】
また、被縫製物の縫製サイズに応じて複数の各ミシンを使い分ければよいが、各ミシンの間で作業者が移動しなければならず、作業能率が悪い。また、複数台の各ミシンを設置又は保管するためのスペースを確保することが難しく、一つの場所に配置することができない。また、設置スペースによって縫製作業が制約されるため、様々な大きさ及び形状を有する被縫製物の縫製作業が行えない。
【０００４】
また、回転部を有するものとしては、例えばディスプレイ装置が載置される台板を、水平に回転しうる回転台の上面において前後に摺動しうるように設けた特許文献１のコンピュータ機器用机があるが、台板上に載置される装置との間に段差があるため、同一平面で作業を行うことができない。
【０００５】
【特許文献１】実開昭６２−１６９６３６号公報
【発明の開示】
【発明が解決しようとする課題】
【０００６】
この発明は前記問題に鑑み、特定の縫製サイズを有する被縫製物の縫製作業のみに制約されず、様々な大きさ及び形状を有する被縫製物の縫製作業に使用することができるミシン台の提供を目的とする。
【課題を解決するための手段】
【０００７】
この発明は、被縫製物の所定部分をミシンにより所望する縫い方で縫製する作業に用いられるミシン台であって、前記ミシン台を、支持枠上部に固定された支持台の上面に対して水平回転自在に設けられた中央天板と、該中央天板の左右に配置され前記支持台の左右端部に対して上下回動自在に連結された左側天板と右側天板とで構成し、前記中央天板を、前記ミシン台の左右方向に対して前記ミシンが直交する角度と、該ミシンが平行する角度とに水平回転自在に設け、前記左側及び右側の各天板を、前記中央天板に対して同一平面となる水平角度と、前記支持枠の両側部に沿った垂直角度とに上下回動自在に設け、前記ミシンが直交する角度に回転された中央天板と、該中央天板に対して同一平面となる水平角度に回動された左右天板との間に、該中央天板と左右天板との対向端部を連結する連結手段を設け、前記ミシンが平行する角度に回転された中央天板と、該中央天板に対して同一平面となる水平角度に回動された左側天板との間に、該中央天板と左側天板との対向端部を連結する連結手段を設けたミシン台であることを特徴とする。
【０００８】
この発明の態様として、前記中央天板と前記ミシンとを、該中央天板の回転中心とミシンの針落ち位置とが同一垂直線上に位置するように設け、前記中央天板を、該中央天板に載置されたミシンの針落ち位置を中心として水平回転自在に設けることができる。
【０００９】
また、この発明の態様として、前記中央天板の上面に、前記ミシンの送り台の側面全周と合致する大きさ及び形状で、該送り台の出し入れが許容される開口部を形成し、前記中央天板を、前記開口部に収容されたミシンの送り台に対して同一平面となる高さに設けることができる。
【００１０】
また、この発明の態様として、前記中央天板を、前記ミシンが載置される下側受板と、前記開口部が形成された上側天板とで構成し、前記上側天板を、該上側天板の開口部に収容されたミシンの送り台に対して同一平面となる高さに上下調節自在に設けることができる。
【００１１】
また、この発明の態様として、前記左側天板と右側天板を、前記中央天板の高さに応じて該中央天板に対して同一平面となる高さに上下調節自在に設けることができる。
【００１２】
前記ミシンは、例えば本縫いミシン、ロックミシン、掬い縫いミシン、本体が単独で販売されるミシン等の家庭用ミシン又は工業用ミシンで構成することができる。また、被縫製物は、例えば幅広、長尺、筒状、袋状、平板状、扁平状等の様々な大きさ及び形状を有する布地で構成することができる。実施例では、例えばキルト等の被縫製物を縫い合わせる作業を説明しているが、皮革や不織布、合成樹脂等の材質で形成された被縫製物を縫製する作業にも用いることができる。
【発明の効果】
【００１３】
この発明によれば、被縫製物の縫製サイズに応じて、該被縫製物が載置されるミシン台全体の作業面積及び中央天板に載置されたミシンの向きを変更するので、特定の縫製サイズを有する被縫製物の縫製作業のみに制約されず、様々な大きさ及び形状を有する被縫製物の縫製作業に使用することができる。
【発明を実施するための最良の形態】
【００１４】
この発明は、様々な大きさ及び形状を有する被縫製物の縫製作業に使用することができるという目的を、ミシン台の中央天板を、該中央天板に載置されたミシンが直交する角度と該ミシンが平行する角度とに水平回動自在に設け、左側天板及び右側天板の両方又は一方を中央天板に対して同一平面となる角度に上下回動自在に設けることで達成した。
【実施例】
【００１５】
この発明の一実施例を以下図面に基づいて詳述する。
【００１６】
図面は、被縫製物の縫製サイズに応じて、該被縫製物が載置されるミシン台全体の作業面積及び中央天板に載置されたミシンの向きを変更することができるミシン台を示し、図１及び図２に於いて、このミシン台１は、所望する方向へ走行移動自在に設けられた支持枠２と、支持枠２上部に水平固定された支持台３と、支持台３の上面に対して水平回転自在に設けられた中央天板４と、作業者が待機するミシン台１の手前側（図１に示す右側斜め手前）を正面として、中央天板４の左右に配置され、支持台３の左右端部に対して上下回動自在に連結された左側天板５と右側天板６とで構成されている。
【００１７】
支持枠２は、図３にも示すように、左右に配置した一対の各下側枠部２ａ，２ａの後端側上面に、一対の各支柱２ｂ，２ｂを上方に向けて垂直に固定している。各支柱２ｂ，２ｂの上端部に、一対の各上側枠部２ｃ，２ｃを各下側枠部２ａ，２ａと平行して前後方向に向けて水平に固定している。また、各下側枠部２ａ，２ａの前端側下面には、足を載せるための足載せ枠２ｄを水平に固定している。各支柱２ｂ，２ｂの下端側後面には、後側枠板２ｅを固定している。
【００１８】
また、各下側枠部２ａ，２ａの両端部下面側には、所望する方向（例えば略３６０度）へ水平回動自在なストッパー機能付きの各キャスター２ｆ…が取り付けられており、任意の設置場所へ走行移動自在に設けている。また、各キャスター２ｆ…を取り付けず、各下側枠部２ａ，２ａを、所望する場所の設置面に対して接地してもよい。
【００１９】
なお、各支柱２ｂ，２ｂを、垂直方向に対して任意長さに伸縮調節自在に設けてもよく、中央天板４及び左右天板５，６を、例えば作業者の身長、座高等に応じて任意高さに上下調節することができる。
【００２０】
中央天板４は、図３、図４にも示すように、ミシンＡの送り台Ａａが載置される下側受板４Ａと、該送り台Ａａの出し入れが許容される開口部４Ｂａが形成された上側天板４Ｂとで構成されている。支持台３と下側受板４Ａとの対向面間には、ターンテーブル等の水平回転可能な回転台７を配置している。
【００２１】
上側天板４Ｂの上面中央には、ミシンＡの送り台Ａａの出し入れが許容される開口部４Ｂａを形成している。開口部４Ｂａは、送り台Ａａの側面全周と合致する大きさ及び形状で、上方から見てＵ字状に形成している。また、上側天板４Ｂの遊端側端部も、開口部４Ｂａと連通してミシンＡの送り台Ａａの出し入れが許容される幅に開放している（図４参照）。
【００２２】
開口部４Ｂａは、該開口部４Ｂａに収容されるミシンＡを、後述する回転台７の回転中心に対してミシンＡの針落ち位置Ａ１が同一垂直線上に位置するように規制する。また、ミシンＡの針落ち位置Ａ１は、送り台Ａａの送り面に組み付けられた針板Ａｂ上に設定している。
【００２３】
また、上側天板４Ｂは、図５の（ａ）、（ｂ）にも示すように、上側天板４Ｂの開口部４Ｂａに収容されたミシンＡの送り台Ａａの高さに応じて、上側天板４Ｂの上面と送り台Ａａの送り面とが同一平面となる高さに上下調節自在に設けている。
【００２４】
つまり、上側天板４Ｂは、該上側天板４Ｂの下面側四隅部に垂直固定した４本の各ボルト８…を、下側受板４Ａの上面側四隅部に形成した各孔部４Ａａ…に挿通し、下側受板４Ａの上下面に露出するボルト８と、ボルト８の挿通側端部に螺着したナット９の締付け力により、上側天板４ＢをミシンＡの送り台Ａａに対して同一平面となる高さ位置に固定している。また、ボルト８及びナット９による締付け力を緩めれば、上側天板４Ｂを、ミシンＡの送り台Ａａの高さに応じて所望する高さ位置に上下調節することができる。
【００２５】
なお、上側天板４ＢをミシンＡの送り台Ａａに対して同一平面となる高さ位置に上下調節した後、高さ調節済みの中央天板４を、支持台３上面に配置された回転台７上に設置するか、回転台７上に設置したまま上側天板４Ｂの高さを上下調節してもよい。
【００２６】
回転台７は、図４にも示すように、該回転台７上に固定された中央天板４を、回転台７の回転中心と同一垂直線上に設定されたミシンＡの針落ち位置Ａ１を中心として、上方から見て時計回り方向Ｔ１と反時計回り方向Ｔ２とに所定の回動範囲（９０度）だけ水平回転自在に設けている。
【００２７】
また、回転台７には、該回転台７を所定の回転角度に規制するためのストッパー等の規制機構が組み込まれており、中央天板４を、ミシン台１の左右方向に対して中央天板４に載置されたミシンＡが直交する角度（図９参照）と、ミシン台１の左右方向に対して中央天板４に載置されたミシンＡが平行する角度（図７参照）とに回動規制する。
【００２８】
また、下側受板４Ａの遊端側下面には、所望する方向へ自由回転自在な一対の各ボールキャスター１０，１０が所定間隔に隔てて取り付けられており、中央天板４を時計回り方向Ｔ１と反時計回り方向Ｔ２とに水平回転する際に、中央天板４の全体を水平状態に支持する。
【００２９】
左側天板５及び右側天板６は、図３、図５にも示すように、左右天板５，６の基端側下面に固定された各支持板５Ａ，６Ａの下端部と、支持台３の左右端部とを一対の各蝶板１１，１１で連結して、左側天板５及び右側天板６を、中央天板４に対して同一平面となる水平角度と、支持枠２の各支柱２ｂ，２ｂに沿った垂直角度とに上下回動自在に設けている。
【００３０】
左側天板５及び右側天板６を引き上げるように上方へ回動して、左右天板５，６の基端側下面に固定された各支持板５Ａ，６Ａの下端面を、支持台３の左右端部上面に当接し、左右天板５，６の基端側端面を、中央天板４の上側天板４Ｂの左右端面に当接することにより、左側天板５及び右側天板６が、中央天板４に対して同一平面となる水平角度に回動規制される（図３の仮想線参照）。
【００３１】
また、左側天板５及び右側天板６を、支持枠２の各支柱２ｂ，２ｂに沿った垂直角度に回動すると、左右天板５，６の基端部及び各支持板５Ａ，６Ａの端部は、中央天板４の下側受板４Ａ及び上側天板４Ｂに対して当接が回避され、中央天板４の水平回転が許容される間隔に離間される（図３の実線参照）。
【００３２】
実施例では、中央天板４の水平回転がスムースに行えるように、下側受板４Ａ及び上側天板４Ｂの遊端側角隅部をアール形状に形成して、右側支柱２ｂに沿った垂直角度に回動された右側天板６の基端部及び支持板６Ａの端部に対して当接が回避されるように設けている。或いは、下側受板４Ａ及び上側天板４Ｂを、予め右側天板６の基端部及び支持板６Ａの端部に対して当接が回避される大きさ及び形状に形成しておいてもよい。
【００３３】
また、ミシン台１の左右方向に対してミシンＡが直交する角度に回転された中央天板４の左右長辺部と、該中央天板４に対して同一平面となる水平角度に回動された左右天板５，６の基端側辺部との間には、該中央天板４と左右天板５，６との対向端部を連結するための連結金具１２を設けている（図５、図８参照）。
【００３４】
また、ミシン台１の左右方向に対してミシンＡが平行する角度に回転された中央天板４の一側短辺部と、該中央天板４に対して同一平面となる水平角度に回動された左側天板５の基端側辺部との間には、該中央天板４と左側天板５との対向端部を連結するための連結金具１２を設けている（図５、図６参照）。
【００３５】
連結金具１２は、図５にも示すように、金具本体１２ａと、操作部１２ｂと、リング１２ｃと、フック１２ｄとで構成され、金具本体１２ａに取り付けられた操作部１２ｂに、フック１２ｄに係止されるリング１２ｃを取り付けている。
【００３６】
つまり、ミシン台１の左右方向に対してミシンＡが直交する角度に水平回転された中央天板４の上側天板４Ｂの左右長辺部に、中央天板４に対して同一平面となる水平角度に回動された左右天板５，６の基端側辺部を当接した際に、上側天板４Ｂの一側短辺部に固定された金具本体１２ａの操作部１２ｂを係止方向へ回動して、リング１２ｃを、左右天板５，６の基端側辺部に固定されたフック１２ｄに係止する（図５の（ａ）参照）。この後、操作部１２ｂをロック側へ回動操作して、中央天板４と左右天板５，６とを連結固定する（図８参照）。
【００３７】
また、ミシン台１の左右方向に対してミシンＡが平行する角度に水平回転された中央天板４の上側天板４Ｂの一側短辺部に、中央天板４に対して同一平面となる水平角度に回動された左側天板５の基端側辺部を当接した際に、上側天板４Ｂの一側短辺部に固定された金具本体１２ａの操作部１２ｂを係止方向へ回動して、リング１２ｃを、左側天板５の基端側辺部に固定されたフック１２ｄに係止する（図５の（ａ）参照）。この後、操作部１２ｂをロック側へ回動操作して、中央天板４と左側天板５とを連結固定する（図６参照）。
【００３８】
図示実施例は前記の如く構成するものにして、以下、ミシン台１を用いた被縫製物Ｂの縫製作業を説明する。
【００３９】
先ず、ミシン台１上にて縫製サイズが小さい被縫製物Ｂの縫い合わせ作業を行う場合、図３、図５の（ｂ）の仮想線に示すように、中央天板４に対して左側天板５及び右側天板６を同一平面となる角度に水平固定している連結金具１２の連結固定を解除した後、左側天板５及び右側天板６を引き下げるように下方へ回動して、支持枠２の各支柱２ｂ，２ｂに沿った垂直角度に回動する。
【００４０】
この後、図４の仮想線に示すように、回転台７の回転中心と同一垂直線上に設定されたミシンＡの針落ち位置Ａ１を中心として、中央天板４の遊端側をミシン台１の前側へ回動するとともに、ミシンＡが載置された中央天板４を上方から見て時計回り方向Ｔ１に水平回転して、中央天板４を、作業者が待機するミシン台１の手前側（図１に示す右側斜め手前）を正面として、ミシン台１の左右方向に対してミシンＡが平行する角度に回転停止する（図６、図７参照）。
【００４１】
右側天板６を右側支柱２ｂに沿った垂直角度に回動したまま、左側天板５を引き上げるように上方へ回動し、左側天板５の基端側端面を、中央天板４の上側天板４Ｂの左側端面に当接して同一平面となる角度に回動規制した後、連結金具１２により左側天板５を中央天板４に対して同一平面となる水平角度に水平固定する（図５の（ａ）、図６、図７参照）。これにより、縫製サイズが小さい被縫製物Ｂの縫い合わせ作業を行うのに適した作業面積を確保することができる（図１参照）。
【００４２】
次に、ミシン台１上にて縫製サイズが大きい被縫製物Ｂの縫い合わせ作業を行う場合、図３、図５の（ｂ）の実線に示すように、中央天板４と左側天板５とを同一平面となる水平角度に固定している連結金具１２の連結固定を解除した後、左側天板５を引き下げるように下方へ回動して、支持枠２の左側支柱２ｂに沿った垂直角度に回動する。
【００４３】
この後、ミシンＡの針落ち位置Ａ１を中心として、中央天板４の遊端側をミシン台１の後側へ回動するとともに、ミシンＡが載置された中央天板４を上方から見て反時計回り方向Ｔ２に水平回転して、中央天板４をミシン台１の左右方向に対してミシンＡが直交する角度に回転停止する（図４の実線参照）。
【００４４】
支持枠２の各支柱２ｂ，２ｂに沿った垂直角度に回動された左側天板５及び右側天板６を引き上げるように上方へ回動し、左側天板５及び右側天板６の基端側端面を、中央天板４の上側天板４Ｂの左右端面に当接して同一平面となる水平角度に回動規制した後、連結金具１２により左側天板５及び右側天板６を中央天板４に対して同一平面となる水平角度に水平固定する（図５の（ａ）、図８、図９参照）。これにより、縫製サイズが大きい被縫製物Ｂの縫い合わせ作業を行うのに適した広い作業面積を確保することができる（図２参照）。
【００４５】
以上のように、被縫製物Ｂの縫製サイズに応じて、該被縫製物Ｂが載置されるミシン台１全体の作業面積及び中央天板４に載置されたミシンＡの向きを９０度変更するので、特定の縫製サイズを有する被縫製物Ｂの縫製作業のみに制約されず、様々な大きさ及び形状を有する被縫製物Ｂの縫製作業に使用することができる。これにより、一つのミシン台１を、サイズの小さい被縫製物Ｂと、サイズの大きい被縫製物Ｂを縫製する作業に兼用することができる。
【００４６】
また、ミシンＡが載置された中央天板４を、回転台７の回転中心と同一垂直線上に設定されたミシンＡの針落ち位置Ａ１を中心として、ミシン台１の左右方向に対してミシンＡが平行する角度と直交する角度とに水平回転するので、ミシン台１の正面側に待機する作業者の位置を変える必要がなく、様々な大きさ及び形状を有する被縫製物Ｂの縫製作業が定位置で行え、ミシンＡによる縫製作業の能率アップを図ることができる。
【００４７】
図１０は、左側天板５及び右側天板６の両方を、中央天板４に対して同一平面となる高さに上下調節自在に設けた他の例を示している。なお、右側天板６も左側天板５と同様に上下調節自在に設けられており、同一の構成であるのでその詳細な説明を省略する。
【００４８】
左側天板５は、左側天板５の基端側下面に固定した支持板５ａと、支持台３の左側端部に連結した支持板５ｂとを重ね合せて、支持部５ｂに形成した孔部５ｂ１と、支持板５ａに形成した長孔５ａ１とを連通した後、孔部５ｂ１及び長孔５ａ１に挿通したボルト１３と、ボルト１３の挿通側端部に螺着したナット１４の締付け力により、左側天板５を中央天板４に対して同一平面となる高さに固定している。また、ボルト１３及びナット１４による締付け力を緩めれば、左側天板５を、中央天板４の高さに応じて所望する高さ位置に上下調節することができるので、前記実施例と略同等の作用及び効果を奏することができる。
【００４９】
この発明の構成と、前記実施例との対応において、  
この発明の連結手段は、実施例の連結金具１２に対応するも、  
この発明は、前記実施例の構成のみに限定されるものではなく、請求項に示される技術思想に基づいて応用することができ、多くの実施の形態を得ることができる。
【００５０】
例えば中央天板４の上側天板４Ｂに形成された開口部４Ｂａを、ミシンＡの種類に応じて、該ミシンＡの送り台Ａａが収容される大きさ及び形状に変更するか、上側天板４Ｂを交換する等してもよい。
【００５１】
また、左側天板５及び右側天板６の基端側端面と、中央天板４の上側天板４Ｂの左右端面とを互いに嵌合してもよく、左側天板５及び右側天板６を中央天板４に対して同一平面となる水平角度に回動固定した際にガタ付くのを防止することができる。
【図面の簡単な説明】
【００５２】
【図１】ミシン台の左側天板を水平固定した状態を示す斜視図。
【図２】ミシン台の左右天板を水平固定した状態を示す斜視図。
【図３】左右天板の回動動作を示す正面図。
【図４】中央天板の水平回動を示す平面図。
【図５】中央天板の高さ調節構造及び左側天板の連結構造を示す拡大正面図。
【図６】左側天板を水平固定した状態を示す正面図。
【図７】左側天板を水平固定した状態を示す平面図。
【図８】左右天板を水平固定した状態を示す正面図。
【図９】左右天板を水平固定した状態を示す平面図。
【図１０】左側天板の高さ調節構造を示す拡大正面図。
【符号の説明】
【００５３】
Ａ…ミシン
Ａ１…針落ち位置
Ｂ…被縫製物
１…ミシン台
２…支持枠
３…支持台
４…中央天板
４Ｂａ…開口部
５…左側天板
６…右側天板
７…回転台
１１…蝶板
１２…連結金具
【図１】
2009160007.tif 000003
【図２】
2009160007.tif 000004
【図３】
2009160007.tif 000005
【図４】
2009160007.tif 000006
【図５】
2009160007.tif 000007
【図６】
2009160007.tif 000008
【図７】
2009160007.tif 000009
【図８】
2009160007.tif 000010
【図９】
2009160007.tif 000011
【図１０】
2009160007.tif 000012